(57)【要約】【課題】  スラットを起立させた状態においても、自然で柔らかな光を室内に導き入れることで、室内を雰囲気よく明るく保つことのできるブラインドを提供する。【解決手段】  互いに略平行に配された複数本のスラット３０を備え、各スラット３０の傾きを調節することにより、室外から室内に差し込む光を調節することができるようにしたブラインドにおいて、スラット３０として、光透過率が１５％以下に抑えられた、合成樹脂製の帯板材からなる反射拡散型のスラット３１と、光透過率が２０〜９０％に設定された、合成樹脂製の帯板材からなる透過拡散型のスラット３２とを混在させるとともに、少なくとも反射拡散型のスラット３１を、長手方向に垂直な断面形状が「Ｖ」字状を為す形態とした。【選択図】  図１
2019082053.tif 000002
【特許請求の範囲】
【請求項１】
互いに略平行に配された複数本のスラットを備え、各スラットの傾きを調節することにより、室外から室内に差し込む光を調節することができるようにしたブラインドであって、
スラットとして、
光透過率が１５％以下に抑えられた、合成樹脂製の帯板材からなる反射拡散型のスラットと、
光透過率が２０〜９０％に設定された、合成樹脂製の帯板材からなる透過拡散型のスラットと、
が混在されるとともに、
少なくとも反射拡散型のスラットが、長手方向に垂直な断面形状が「Ｖ」字状を為す形態とされた
ことを特徴とするブラインド。
【請求項２】
反射拡散型のスラット及び／又は透過拡散型のスラットが、顔料を練り込んだ透光樹脂製の帯板材によって形成された請求項１記載のブラインド。
【請求項３】
前記顔料が酸化チタンである請求項２記載のブラインド。
【請求項４】
反射拡散型のスラット及び／又は透過拡散型のスラットが、
光拡散材を練り込んだ透光樹脂製の帯板材、及び／又は、
表面に光拡散用の凹凸が形成された透光樹脂製の帯板材
からなる請求項１〜３いずれか記載のブラインド。
【請求項５】
反射拡散型のスラットの断面形状における「Ｖ」字の開き角度が、１００〜１７５°とされた請求項１〜４いずれか記載のブラインド。
【請求項６】
スラットの全本数Ｎに対する透過拡散型のスラットの本数Ｎ１の比Ｎ１／Ｎが０．１以上とされた請求項１〜４いずれか記載のブラインド。
【発明の詳細な説明】
【技術分野】
【０００１】
本発明は、互いに略平行に配された複数本のスラットを備え、各スラットの傾きを調節することにより、室外から室内に差し込む光を調節することができるようにしたブラインドに関する。
【背景技術】
【０００２】
窓の外側（室外）から室内に差し込む日光を遮ったり、室外にいる人の視線から室内を隠したりするためのものとして、ブラインドが知られている。ブラインドとしては、互いに略平行に配された複数本のスラットを備え、各スラットの傾きを調節できるようにしたルーバータイプのものが知られている。このルーバータイプのブラインドでは、各スラットを起立させると日光を遮ることが可能な状態（遮光状態）とすることができ、各スラットを傾けると日光を室内に導き入れることが可能な状態（採光状態）とすることができる。各スラットの傾きは大きくすればするほど、隣り合うスラットの隙間が広がり、室内に多くの光が導き入れられるようになる。
【０００３】
ところが、従来のルーバータイプのブラインドは、スラットがアルミニウム等の金属で形成されていたため、スラットは、光を殆ど透過しないものとなっていた。このため、スラットを起立させて遮光状態とすると、室外から室内には殆ど光が入らず、室内が暗くなるという欠点があった。このため、従来のルーバータイプのブラインドでは、それを遮光状態としたときには、昼間でも、照明を使用する必要があった。
【０００４】
このような実状に鑑みて、本発明者らは、光を拡散する塗料（拡散塗料）を透明な樹脂フィルムに塗布したものをスラットとして用いたブラインド（特許文献１を参照）を既に提案している。これにより、スラットを起立させた状態でも、日光がスラットを透過して室内に導き入れられるようになるため、室内を明るく保つことが可能になる。また、室内に導き入れられる日光は、スラットを透過する際に拡散するため、日光が直接的に室内に導き入れられる場合と比較して、眩しさを感じないようにすることも可能となっている。
【０００５】
また、特許文献２の図１には、複数枚のスラット９を上下方向に間隔を置いてそれぞれ傾動自在に配設してなる上部ブラインド８と、複数の折れ壁１４ａを有し、つづら折れ状に折り畳み可能な膜材１４からなる下部ブラインド１３とで構成されたブラインドが記載されている。このブラインドでは、その下部ブラインドによって室内を目隠しした状態としながらも、上部ブラインド８のスラット９の傾きを調節することにより、日光をスラット９で室内の天上面に反射させ、室内の奥側へも光を届かせることが可能となっている。
【先行技術文献】
【特許文献】
【０００６】
【特許文献１】特開２０１３−０１４９０９号公報
【特許文献２】特開２００１−１１５７５６号公報
【発明の概要】
【発明が解決しようとする課題】
【０００７】
上述した特許文献１や特許文献２のブラインドは、それまでのルーバータイプのブラインドと比較して、室内の眩しさを抑えた状態としながらも、室内を明るく保つことができるものではあったが、以下のような欠点を有していた。
【０００８】
すなわち、特許文献１のブラインドにおいて、各スラットは、光を拡散することにより眩しさを抑えるものであり、光の透過率自体は高いものとなっていた。このため、日差しが強いとき等には、各スラットを起立させた状態としても、室内にいる人が眩しさや熱を感じることがあった。また、オフィス等の窓際では、窓を背にした状態で人が座る配席になっていることが多いが、日差しの強いとき等には、その人が作業するパソコンの画面（窓に対向する状態となっていることが多い。）に映り込みが生じて画面が見にくくなることもあった。
【０００９】
一方、特許文献２のブラインドは、下部ブラインドとして、すりガラス的な採光が可能な膜材を用いるもの（同文献の段落００１７を参照。）であるため、やはり、特許文献１のブラインドと同様の欠点を有する。また、特許文献２のブラインドは、上部ブラインドとして、専ら光を反射するものを用いるもの（同文献の段落０００８を参照。）となっている。このため、上部ブラインドのスラットを起立させると、上部ブラインドの領域からは光が殆ど室内に導き入れられなくなる。したがって、天井面に光を反射させようとすると、上部ブラインドのスラットを傾けた状態とする必要がある。加えて、上部ブラインドのスラットで反射した光は、天井面にくっきりとした明暗を形成すると推測され、室内が柔らかな雰囲気にならないと考えられる。
【００１０】
本発明は、上記課題を解決するために為されたものであり、スラットを起立させた状態においても、自然で柔らかな光を室内に導き入れることで、室内を雰囲気よく明るく保つことのできるブラインドを提供することを目的とする。また、その仕様によっては、室内にいる人に眩しさや熱を感じさせにくく、且つ、室内にあるパソコンの画面等に映り込みが生じにくくすることも可能なブラインドを提供することも本発明の目的である。
【課題を解決するための手段】
【００１１】
上記課題は、
互いに略平行に配された複数本のスラットを備え、各スラットの傾きを調節することにより、室外から室内に差し込む光を調節することができるようにしたブラインドであって、
スラットとして、
光透過率が１５％以下に抑えられた、合成樹脂製の帯板材からなる反射拡散型のスラットと、
光透過率が２０〜９０％に設定された、合成樹脂製の帯板材からなる透過拡散型のスラットと、
が混在されるとともに、
少なくとも反射拡散型のスラットが、長手方向に垂直な断面形状が「Ｖ」字状を為す形態とされた
ことを特徴とするブラインド
を提供することによって解決される。
【００１２】
このように、反射拡散型のスラットと透過拡散型のスラットとを組み合わせてブラインドを構成することにより、スラットを閉じた状態であっても、室外の光（日光等）を拡散させた自然で柔らかな状態で室内に導き入れることが可能になる。
【００１３】
また、反射拡散型のスラットと透過拡散型のスラットの配置を変更することにより、使用場所等に応じた適切な採光を行うことも可能になる。例えば、室内の上部（天井面付近）に自然で柔らかな光を導き入れながらも、室内にいる人が眩しさや熱を感じにくく、パソコンの画面等への映り込みを抑えたいような場合には、ブラインドの上側領域を透過拡散型のスラットで構成し、ブラインドの下側領域を反射拡散型のスラットで構成することで、そのような状態を実現することが可能である。
【００１４】
さらに、反射拡散型のスラットを断面「Ｖ」字状としたことにより、後述するように、スラットを傾けた場合において、反射拡散型のスラットを通じて室外から室内に導き入れられる光が、反射拡散型のスラットで反射を複数回繰り返す（拡散を複数回繰り返す）ようになる。このため、反射拡散型のスラットが配された領域を通じても、より均一に拡散された自然で柔らかな状態の光を室内に導き入れることが可能になる。
【００１５】
本発明のブラインドにおいて、反射拡散型のスラットは、光透過率が１５％以下となる合成樹脂製の帯板材であれば、その材質を特に限定されないが、顔料を練り込んだ透光樹脂製（透明樹脂を含む。）の帯板材で形成することが好ましい。透光樹脂としては、ポリカーボネート（ＰＣ）や、メタクリル酸メチル樹脂（ＰＭＭＡ）等のアクリル樹脂や、ポリエチレンテレフタレート（ＰＥＴ）や、ポリプロピレン（ＰＰ）や、ポリスチレン（ＰＳ）や、アクリロニトリルーブタジエン−スチレン共重合合成樹脂（ＡＢＳ）等が例示される。このような透光樹脂に、顔料を練り込むことにより、光透過率を１５％以下に抑えることができる。
【００１６】
このとき、顔料は、遮光性を有するものであれば特に限定されないが、酸化チタン（ＴｉＯ２）を用いることが好ましい。酸化チタンは、高い遮光性を有することに加えて、触媒としての活性が低く、また熱安定性にも優れるため、反射拡散型のスラットに用いる顔料として好適である。加えて、酸化チタンは、それ自体で白色を有するため、他の顔料等を使用しなくても、反射拡散型のスラットを清潔感のある白色に着色することが可能である。
【００１７】
これに対し、透過拡散型のスラットは、光透過率が２０〜９０％となる合成樹脂製の帯板材であれば、その材質を特に限定されないが、上記の反射拡散型のスラットと同様、顔料を練り込んだ透光樹脂製（透明樹脂を含む。）の帯板材で形成することが好ましい。透光樹脂としても、上記の反射拡散型のスラットで述べたものと同様のものを用いることができ、顔料としても、上記の光拡散型のスラットで述べたもの（酸化チタン）を好適に用いることができる。この場合、顔料の配合量を、反射拡散型のスラットの配合量よりも少なくすると、透過拡散型のスラットの光透過率を２０〜９０％とすることができる。
【００１８】
本発明のブラインドにおいて、反射拡散型のスラットは、それに入射した光を拡散しながら反射するものとされる。このような反射拡散型のスラットは、それを形成する合成樹脂に光拡散材（光拡散ビーズ等）を練り込むか、その表面に光拡散用の凹凸を形成することによって得ることができる。これに対し、透過拡散型のスラットは、それに入射した光を拡散しながら透過するものとされる。このような透過拡散型のスラットも、上記の反射拡散型のスラットと同様、それを形成する合成樹脂に光拡散材（光拡散ビーズ等）を練り込むか、その表面に光拡散用の凹凸を形成することによって得ることができる。
【００１９】
本発明のブラインドにおいては、既に述べたように、反射拡散型は、断面「Ｖ」字状に形成される。反射拡散型のスラットの断面形状における「Ｖ」字の開き角度（以下において、「開き角度θ」と呼ぶことがある。）は、１８０°未満（開き角度θが１８０°であると反射拡散型のスラットの断面は「Ｉ」字状になる。）であれば、特に限定されない。しかし、開き角度θが１８０°に近いと、上述した効果（反射拡散型のスラットを通じて室外から室内に導き入れられる光が、反射拡散型のスラットで反射を複数回繰り返すようになるという効果）が奏されにくくなる虞がある。このため、反射拡散型のスラットの開き角度θは、１７５°以下とすることが好ましい。反射拡散型のスラットの開き角度θは、１７０°以下とすることがより好ましく、１６５°以下とすることがさらに好ましい。
【００２０】
一方、反射拡散型のスラットの開き角度θを小さくしすぎても、上述した効果（反射拡散型のスラットを通じて室外から室内に導き入れられる光が、反射拡散型のスラットで反射を複数回繰り返すようになるという効果）が奏されにくくなる虞がある。このため、反射拡散型のスラットの開き角度θは、１００°以上とすることが好ましい。反射拡散型のスラットの開き角度θは、１３０°以上とすることがより好ましく、１５０°以上とすることがさらに好ましい。
【００２１】
本発明のブラインドにおいては、既に述べたように、スラットとして、反射拡散型のスラットと透過拡散型のスラットとが混在される。この点、スラットの全本数（Ｎ本とする。）に対する透過拡散型のスラットの本数（Ｎ１本とする。）の比Ｎ１／Ｎは、ブラインドの設置箇所等によっても異なり、特に限定されない。しかし、透過拡散型のスラットの割合を少なくしすぎる（比Ｎ１／Ｎを小さくしすぎる）と、スラットを起立させた状態において、室外に光が室内に入り込みにくくなり、室内が暗くなる虞がある。このため、比Ｎ１／Ｎは、０．１以上とすることが好ましい。比Ｎ１／Ｎは、０．２以上とすることがより好ましく、０．３以上とすることがさらに好ましい。
【００２２】
一方、透過拡散型のスラットの割合を多くしすぎる（比Ｎ１／Ｎを大きくしすぎる）と、ブラインドの仕様（透過拡散型のスラットの配置等）や設置箇所等によっては、室内にいる人が眩しさや熱を感じやすくなったり、室内にあるパソコンの画面等に映り込みが生じやすくなったりする虞がある。このため、比Ｎ１／Ｎは、０．９以下とすることが好ましい。比Ｎ１／Ｎは、０．８以下とすることがより好ましく、０．７以下とすることがさらに好ましい。
【発明の効果】
【００２３】
以上のように、本発明によって、スラットを起立させた状態においても、自然で柔らかな光を室内に導き入れることで、室内を雰囲気よく明るく保つことのできるブラインドを提供することが可能になる。また、その仕様によっては、室内にいる人に眩しさや熱を感じさせにくく、且つ、室内にあるパソコンの画面等に映り込みが生じにくくすることも可能なブラインドを提供することも可能になる。
【図面の簡単な説明】
【００２４】
【図１】スラットを起立させた状態にある第一実施態様のブラインドを示した斜視図である。
【図２】スラットを傾けた状態にある第一実施態様のブラインドを示した斜視図である。
【図３】第一実施態様のブラインドにおいて、起立した状態にある反射拡散型のスラットを、当該スラットの長手方向に垂直な平面で切断して示した拡大断面図である。
【図４】第一実施態様のブラインドにおいて、傾いた状態にある反射拡散型のスラットを、当該スラットの長手方向に垂直な平面で切断して示した拡大断面図である。
【図５】スラットを起立させた状態にある第二実施態様のブラインドを示した斜視図である。
【図６】スラットを起立させた状態にある第三実施態様のブラインドを示した斜視図である。
【図７】スラットを起立させた状態にある第四実施態様のブラインドを示した斜視図である。
【図８】スラットを起立させた状態にある第五実施態様のブラインドを示した斜視図である。
【図９】スラットを起立させた状態にある第六実施態様のブラインドを示した斜視図である。
【図１０】スラットを起立させた状態にある第七実施態様のブラインドを示した斜視図である。
【図１１】スラットを起立させた状態にある第八実施態様のブラインドを示した斜視図である。
【発明を実施するための形態】
【００２５】
本発明のブラインドの好適な実施態様について、図面を用いてより具体的に説明する。以下においては、第一実施態様から第九実施態様までの９つの実施態様を例に挙げて本発明のブラインドを説明する。しかし、本発明のブラインドの技術的範囲は、これらの実施態様に限定されるものではなく、発明の趣旨を損なわない限り、適宜変更することができる。
【００２６】
また、後掲する各図（図１〜１２）においては、説明の便宜を考慮し、ｘ軸、ｙ軸及びｚ軸を示している。ｘ軸、ｙ軸及びｚ軸の向きは、異なる図であっても、互いに一致している。以下においては、ｘ軸方向正側を「右」側、ｘ軸方向負側を「左」側、ｙ軸方向正側を「室外」側又は「後」側、ｙ軸方向負側を「室内」側又は「前」側、ｚ軸方向正側を「上」側、ｚ軸方向負側を「下」側と呼ぶことがあるが、これは、各部の相対的な位置関係を表すためのものに過ぎず、各部の絶対的な位置関係を限定するものではない。
【００２７】
１．第一実施態様のブラインド
まず、第一実施態様のブラインドについて説明する。図１は、スラット３０を起立させた状態にある第一実施態様のブラインドを示した斜視図である。図２は、スラット３０を傾けた状態にある第一実施態様のブラインドを示した斜視図である。図３は、第一実施態様のブラインドにおいて、起立した状態にある反射拡散型のスラット３０を、スラット３０の長手方向（ｘ軸方向）に垂直な平面で切断して示した拡大断面図である。図４は、第一実施態様のブラインドにおいて、傾いた状態にある反射拡散型のスラット３０を、スラット３０の長手方向（ｘ軸方向）に垂直な平面で切断して示した拡大断面図である。
【００２８】
第一実施態様のブラインドを含め、本発明のブラインドは、建物等における採光用の開口部（窓等）に設置されるものとなっている。この種のブラインドは、通常、窓等の開口部の略全体を覆うことができる状態で、窓等における室内側に配置される。第一実施態様のブラインドは、図１に示すように、ブラインドの上側部分を構成するヘッドボックス１０と、ブラインドの下側部分を構成するボトムレール２０と、ヘッドボックス１０とボトムレール２０との間の領域に互いに略平行に配された複数本のスラット３０と、ヘッドボックス１０とボトムレール２０とを連結する昇降コード４０及びラダーコード５０と、ヘッドボックス１０から室内側に設けられた操作手段６０とを備えたものとなっている。
【００２９】
ヘッドボックス１０は、ブラインドを取り付ける開口部の上側部分（通常、窓の上桟）に固定され、ブラインドにおける他の部分を開口部の室内側に垂れ下がった状態に支持するとともに、ブランドを動作させるための各種のメカ機構（図示省略）を収容するための部分となっている。ボトムレール２０は、ブラインドの下側部分を保護するとともに、ブラインドのウェイトとしても機能する部分となっている。スラット３０は、その傾きを変化させることが可能な状態となっており、室外から室内に差し込む光を調節する機能を有する部分となっている。１台のブラインドにつき、スラット３０を何本設けるかは、ブラインドの寸法や各スラット３０の上下幅等によっても異なり、特に限定されない。しかし、腰窓に設置するブラインドの場合には、スラット３０の本数は、通常、３０〜８０本程度とされ、掃出窓に設置するブラインドの場合には、通常、５０〜１５０本程度とされる。この点、図１及び図２並びに後掲する図５〜１１のブラインドは、１６本のスラット３０で簡略化して描いている。
【００３０】
昇降コード４０は、ヘッドボックス１０に対してボトムレール２０を昇降させる機能を有する部分となっている。昇降コード４０は、その上端側をヘッドボックス１０内に収容された、図示省略の滑車（昇降コード支持用滑車）に掛け回されて、操作手段６０におけるチルトポール６２の内部を挿通され、イコライザー６４に固定されている。昇降コード４０の下端部は、ボトムレール２０に固定されている。昇降コード４０における、ヘッドボックス１０とボトムレール２０との間に位置する部分は、各スラット３０に設けられた貫通孔に挿通された状態となっている。このため、チルトポール６２に対してイコライザー６４を下側に引っ張ると、スラット３０が上下に重なりながらボトムレール２０が上昇してブラインドが上側に引き上げられるようになっている。上側に引き上げられたブラインドは、イコライザー６４を僅かに引き下げて手を離すと下降するようになっている。
【００３１】
ラダーコード５０は、前後一対の縦紐（上下方向に延びる紐）と、前後一対の縦紐間を結ぶ状態で前後方向に配された複数本の横紐とで構成された梯子状を為している。スラット３０は、ラダーコード５０における前後一対の縦紐間に配され、各スラット３０の下面が、ラダーコード５０におけるそれぞれの横紐に支持された状態となっている。ラダーコード５０における前後一対の縦紐の上端側は、ヘッドボックス１０内に収容された、図示省略のギア（ラダーコード支持用ギア）に取り付けられており、このラダーコード支持用ギアが一方に回転すると、前側の縦紐が下降して、後側の縦紐が上昇する動作を行う一方、このラダーコード支持用ギアが他方に回転すると、前側の縦紐が上昇して、後側の縦紐が下降する動作を行うようになっている。ラダーコード支持用ギアは、操作手段６０におけるグリップ６３を回転させると回転するようになっている。
【００３２】
このため、グリップ６３を一方に回転させると、図１及び図３に示すように、スラット３０が起立した閉状態（スラット３０間の隙間が見えなくなる状態又は当該隙間が狭くなった状態）から、図２及び図４に示すように、スラット３０が傾いた開状態（閉状態よりもスラット３０間の隙間が広がった状態）となる一方、グリップ６３を他方に回転させると、図２及び図４に示すように、スラット３０が傾いた開状態から、図１及び図３に示すように、スラット３０が起立した閉状態となるようになっている。すなわち、グリップ６３を回転操作すると、スラット３０が倒伏回動又は起立回動することで、スラット３０間の隙間が変化し、当該隙間を通じて室外側から室内側に入り込む光量を調節することができるようになっている。また、グリップ６３を回転操作すると、スラット３０の倒伏角度が変化して、スラット３０に当たった光の反射具合を調節することもできるようになっている。
【００３３】
操作手段６０は、上記の昇降コード４０及びラダーコード５０を操作するものとなっている。第一実施態様のブラインドにおいて、操作手段６０は、チルター６１と、チルトポール６２と、グリップ６３と、イコライザー６４とを備えたものとなっている。この操作手段６０においては、既に述べたように、イコライザー６４を操作するとブラインドの昇降動作が行われ、グリップ６３を操作するとスラット３０の開閉動作（開状態と閉状態とを切り替える動作）が行われる。第一実施態様のブラインドにおいて、操作手段６０は、ブラインドの昇降操作とスラット３０の開閉操作とをともに行うことができる、いわゆるワンポール式のものとなっている。しかし、操作手段６０は、このワンポール式のものに限定されることなく、他の機構のものを採用することもできる。例えば、ブラインドの昇降操作は、ヘッドボックス１０から垂下した昇降操作紐（図示省略）で行い、スラット３０の開閉操作は、グリップ６３の回転操作により行うといった構造（当該構造の場合、イコライザー６４は不要となる。）も可能である。
【００３４】
第一実施態様のブラインドを含め、本発明のブラインドは、図１及び図２に示すように、スラット３０として、反射拡散型のスラット３１と、透過拡散型のスラット３２とが混在するものとなっている。図１及び図２並びに後掲する図５〜１１においては、図示の便宜上、反射拡散型のスラット３１を、目の細かい網掛けハッチングで示しており、透過拡散型のスラット３２を、目の大きな網掛けハッチングで示している。第一実施態様のブラインドにおいては、ブラインドにおける下側の約半分の領域に反射拡散型のスラット３１を配し、ブラインドにおける上側の約半分の領域に透過拡散型のスラット３２を配している。
【００３５】
反射拡散型のスラット３１は、それに入射した光を拡散しながら反射するものとなっており、透過拡散型のスラット３２は、それに入射した光を拡散しながら透過するものとなっている。このため、反射拡散型のスラット３１の光透過率は１５％以下に抑えられる一方、透過拡散型のスラット３２の光透過率は２０〜９０％と、反射拡散型のスラット３１におけるそれよりも高くなっている。反射拡散型のスラット３１及び透過拡散型のスラット３２はいずれも、合成樹脂製の帯板材によって形成されている。反射拡散型のスラット３１及び透過拡散型のスラット３２を、アルミニウム等の金属ではなく、合成樹脂によって形成することによって、反射拡散型のスラット３１及び透過拡散型のスラット３２を、熱が蓄熱しにくいものとすることが可能となっている。また、反射拡散型のスラット３１や透過拡散型のスラット３２を柔軟にして、それに手で触れても傷つきにくくすることも可能となっている。
【００３６】
このように、ブラインドのスラット３０として、反射拡散型のスラット３１と透過拡散型のスラット３２とを混在させることで、図１に示すように、スラット３０を閉状態とした場合であっても、透過拡散型のスラット３２が設けられた領域（第一実施態様のブラインドでは上側領域）を通じて室外から室内に光を導き入れて、室内の奥側まで明るく照らすことが可能となっている。このとき、透過拡散型のスラット３２を通じて室内に導き入れられた光は、透過拡散型のスラット３２を透過する際に拡散するため、柔らかく自然な光へと変換されるようになっている。第一実施態様のブラインドでは、ブラインドの上側領域に透過拡散型のスラット３２を配したため、室内における上部空間（通常、天井付近）が拡散光で照らされるようになり、室内を、恰も関節光で照らされているような良い雰囲気とすることができるようになっている。
【００３７】
一方、反射拡散型のスラット３１は、図３に示すように、起立させた状態（閉状態）においては、室外からの光（日光等）の大部分を室外側へと反射し、室内側へは殆ど導き入れないようになっている。ただし、反射拡散型のスラット３１は、光を反射するとはいっても、その光透過率が１５％以下とある程度は光を透過することに加えて、隣り合う反射拡散型のスラット３１の隙間からは、反射拡散型のスラット３１で拡散反射された光が漏れ出てくるようになる。このため、スラット３０を閉状態としても、反射拡散型のスラット３１の室内側の面は、その広い範囲がぼんやりと明るく照らされた状態になるようになっている。ただし、反射拡散型のスラット３１で反射又は透過される光は拡散光であることに加えて、その光量はかなり弱まった状態となっているため、眩しさや熱を感じるほどのものではない。第一実施態様のブラインドでは、ブラインドの下側領域に反射拡散型のスラット３１を配したため、窓際の机上に設置されたパソコンの画面等への映り込みが抑えられるようになっている。
【００３８】
以上のように、第一実施態様のブラインドは、スラット３０を起立状態（閉状態）としたときには、室内への直斜光を遮りながらも、眩しすぎず、且つ、パソコンの画面等に映り込み等を生じさせない快適な状態で室内の奥側まで明るく照らすことが可能なものとなっている。室内をより明るくしたい場合や、室内に直接光（直射日光）を導き入れたい場合には、図２に示すように、スラット３０を傾いた状態（開状態）とし、隣り合うスラット３０の隙間が広がった状態とするとよい。隣り合うスラット３０の隙間の広さ、すなわち、スラット３０の隙間を通じて室内に導き入れる光量は、スラット３０の傾き角度φ（図４）を変化させることで調節することができる。
【００３９】
反射拡散型のスラット３１の光透過率は、上記のように、１５％以下（光反射率で言うと８５％以上）であれば、特に限定されない。しかし、反射拡散型のスラット３１が配される領域の眩しさや熱をより抑え、室内にあるパソコンの画面等の映り込みをより確実に抑えるためには、反射拡散型のスラット３１の光透過率は、１０％以下（光反射率で言うと９０％以上）とすることが好ましい。反射拡散型のスラット３１の光透過率は、９％以下（光反射率で言うと９１％以上）とすることがより好ましく、８％以下（光反射率で言うと９２％以上）とすることがさらに好ましい。
【００４０】
また、透過拡散型のスラット３２の光透過率は、上記のように、２０〜９０％であれば、特に限定されない。しかし、透過拡散型のスラット３２が配される領域の明るさを確保するためには、透過拡散型のスラット３２の光透過率は、３０％以上とすることが好ましい。透過拡散型のスラット３２の光透過率は、４０％以上とすることがより好ましく、５０％以上とすることがさらに好ましく、６０％以上とすることが特に好ましい。一方、透過拡散型のスラット３２の光透過率を高くしすぎると、透過拡散型のスラット３２が配される領域が眩しくなりすぎる虞がある。このため、透過拡散型のスラット３２の光透過率は、８５％以下とすることが好ましい。透過拡散型のスラット３２の光透過率は、８０％以下とすることがより好ましい。第一実施態様のブラインドにおいて、透過拡散型のスラット３２の光透過率は７０％としている。
【００４１】
既に述べたように、スラット３０は、反射拡散型のものも透過拡散型のものも、合成樹脂からなる帯板材によって形成される。スラット３０を形成する合成樹脂としては、ポリカーボネート（ＰＣ）や、メタクリル酸メチル樹脂（ＰＭＭＡ）等のアクリル樹脂や、ポリエチレンテレフタレート（ＰＥＴ）や、ポリプロピレン（ＰＰ）や、ポリスチレン（ＰＳ）や、アクリロニトリルーブタジエン−スチレン共重合合成樹脂（ＡＢＳ）等の透光樹脂（透明樹脂）が好適である。これらの透光樹脂に顔料を練り込むことにより、スラット３０の光透過率を所望の値に設定することができる。すなわち、光透過率が１５％以下と低めの反射拡散型のスラット３１においては、顔料の配合量を増やし、光透過率が２０〜９０％と高めの透過拡散型のスラット３２においては、顔料の配合量を減らすとよい。
【００４２】
この場合、スラット３０を形成する透光樹脂に練り込む顔料は、その種類を特に限定されるものではないが、酸化チタン（ＴｉＯ２）とすることが好ましい。酸化チタンは、高い遮光性を有することに加えて、触媒としての活性が低く、また熱安定性にも優れるだけでなく、それ自体で白色を有するため、他の顔料等を使用しなくても、スラット３０を清潔感のある白色に着色することができる。第一実施態様のブラインドにおいては、ポリカーボネートに酸化チタンを練り込んで帯板状に成形することによって、スラット３０を形成している。
【００４３】
スラット３０の厚さ（板厚）は、特に限定されないが、薄くしすぎると、スラット３０の強度を保つことが難しくなるだけでなく、透光樹脂に顔料を配合することによってはスラット３０の光透過率を所望の値に設定しにくくなる虞もある。このため、スラット３０の厚さは、通常、１００μｍ以上とされる。スラット３０の厚さは、１５０μｍ以上とすることが好ましく、２００μｍ以上とすることがより好ましく、２５０μｍ以上とすることがさらに好ましい。しかし、その一方で、スラット３０を厚くしすぎると、スラット３０の重量が大きくなるだけでなく、スラット３０の原料（透光樹脂のシート）をロール状に巻装しにくくなって歩留まりが低下する等の不具合が生じやすくなる。このため、スラット３０の厚さは、通常、５００μｍ以下とされる。スラット３０の厚さは、４００μｍ以下とすることが好ましく、３５０μｍ以下とすることがより好ましく、３００μｍ以下とすることがさらに好ましい。
【００４４】
反射拡散型のスラット３１と透過拡散型のスラット３２は、反射しながら拡散するか、透過しながら拡散するかの違いはあるものの、光を拡散する機能を有する点においては共通している。この点、反射拡散型のスラット３１や透過拡散型のスラット３２にどのように拡散機能を付与するかについては、特に限定されないが、既に述べたように、それを形成する合成樹脂に光拡散材（光拡散ビーズ等）を練り込むか、その表面に光拡散用の凹凸を形成することによって得ることができる。第一実施態様のブラインドにおいては、反射拡散型のスラット３１及び透過拡散型のスラット３２のいずれも、エンボス加工によりその表面に多数の微細な凹凸（拡散用の凹凸）を形成したものとなっている。
【００４５】
反射拡散型のスラット３１は、図３及び図４に示すように、平板状の第一部分３１ａと、第一部分３１ａに対して傾斜して設けられた平板状の第二部分３１ｂとで構成されており、その長手方向（ｘ軸方向）に垂直な断面形状が「Ｖ」字状を為している。これにより、図４に示すように、スラット３０を傾けた開状態において、反射拡散型のスラット３１を通じて室外から室内に導き入れられる光が、反射拡散型のスラット３１で反射を複数回繰り返す（拡散を複数回繰り返す）ようになる。図４を見ると、例えば、下側に配された反射拡散型のスラット３１における点Ｐ１で拡散反射された光が、上側に配された反射拡散型のスラット３１における点Ｑ１，Ｑ２，Ｑ３等でさらに拡散反射されることが分かる。したがって、反射拡散型のスラット３１が配された領域であっても、スラット３０を開状態とすれば、より均一に拡散された自然で柔らかな状態の光を、ある程度の光量で室内に導き入れることが可能になる。
【００４６】
反射拡散型のスラット３１の開き角度θ（図３及び図４）は、既に述べたように、１８０°よりも小さければ特に限定されず、好ましくは、１００〜１７５°とされ、より好ましくは、１３０〜１７０°とされ、さらに好ましくは、１５０〜１６５°とされる。第一実施態様のブラインドにおいて、反射拡散型のスラット３１の開き角度θは、１６０°としている。
【００４７】
反射拡散型のスラット３１における第一部分３１ａの幅Ｗａ（図４）や第二部分３１ｂの幅Ｗｂ（図４）は、特に限定されず、異なる値としてもよい。しかし、幅Ｗａと幅Ｗｂとを大きくことなる値とすると、図４に示したような多重の拡散反射が生ずる部分が少なくなる。このため、幅Ｗａに対する幅Ｗｂの比Ｗｂ／Ｗａは、０．２５〜４の範囲とすることが好ましく、０．５〜２の範囲とすることがより好ましく、０．６７〜１．５の範囲とすることがさらに好ましい。第一実施態様のブランドにおいて、幅Ｗａと幅Ｗｂは、略等しく設定しており、比Ｗｂ／Ｗａが約１となるようにしている。幅Ｗａ及び幅Ｗｂはそれぞれ、通常、５〜３０ｍｍとされ、好ましくは、１０〜２０ｍｍとされる。
【００４８】
また、第一実施態様のブラインドにおいては、反射拡散型のスラット３１だけでなく、透過拡散型のスラット３２も、平板状の第一部分（図示省略）と、第一部分に対して傾斜して設けられた第二部分（図示省略）とで構成しており、その長手方向（ｘ軸方向）に垂直な断面形状が「Ｖ」字状を為すようにしている。というのも、透過拡散型のスラット３２は、反射拡散型のスラット３１よりも光反射率は低いものの、それでもある程度は光を拡散反射する。この点、透過拡散型のスラット３２においても、その断面形状を「Ｖ」字状とすれば、図４で示したのと同様の多重の拡散反射が生ずるようにすることができる。また、透過拡散型のスラット３２は、それに入射した光を拡散しながら透過するものとなっているところ、この透過拡散型のスラット３２の断面形状を「Ｖ」字状とすることにより、透過拡散型のスラット３２を透過して室内側に入射する光がより様々な方向へ出射するようになる。したがって、スラット３０を傾けた開状態において、透過拡散型のスラット３２が配された領域を通じて室内に導き入れられる光も、より均一に拡散された自然で柔らかな状態とすることができる。
【００４９】
透過拡散型のスラット３２の断面形状における「Ｖ」字の開き角度（以下において、「開き角度θ’」と表記する。）は、上述した拡散反射型のスラット３１の開き角度θと同様の範囲に設定することができる。透過拡散型のスラット３２の開き角度θ’は、拡散反射型のスラット３１の開き角度θと異なる値に設定することもできるが、第一実施態様のブラインドにおいては、開き角度θと同じ１６０°に設定している。また、透過拡散型のスラット３２における第一部分の幅（以下において、「幅Ｗａ’」と表記する。）や第二部分の幅（以下において、「幅Ｗｂ’」と表記する。）は、それぞれ、反射拡散型のスラット３１における第一部分３１ａの幅Ｗａや第二部分３１ｂの幅Ｗｂと同じ範囲に設定することができる。透過拡散型のスラット３２における第一部分の幅Ｗａ’や第二部分の幅Ｗｂ’は、それぞれ、反射拡散型のスラット３１における第一部分３１ａの幅Ｗａや第二部分３１ｂの幅Ｗｂと異なる値に設定することもできるが、第一実施態様のブラインドにおいては、幅Ｗａ及び幅Ｗｂと同じ値に設定している。
【００５０】
以上で述べた第一実施態様のブラインドは、スラット３０を傾けた開状態だけでなく、スラット３０を起立させた閉状態においても、自然で柔らかな光を室内に導き入れることで、室内を雰囲気よく明るく保つことのできるものとなっている。加えて、室内にいる人に眩しさや熱を感じさせにくく、且つ、室内にあるパソコンの画面等に映り込みが生じにくくすることも可能なものとなっている。
【００５１】
２．他の実施態様のブラインド
第一実施態様のブラインドは、図１に示すように、その上側の略半分の領域に透過拡散型のスラット３２を配し、その下側の略半分の領域に反射拡散型のスラット３１を配していたが、透過拡散型のスラット３１と反射拡散型のスラット３２の配置は、これに限定されない。透過拡散型のスラット３１と反射拡散型のスラット３２の配置は、ブラインドの設置箇所等に応じて適宜変更することが可能である。以下、この点について説明する。
【００５２】
図５は、スラット３０を起立させた状態にある第二実施態様のブラインドを示した斜視図である。第二実施態様のブラインドは、図５に示すように、その上側の略半分の領域に反射拡散型のスラット３１を配し、その下側の略半分の領域に透過拡散型のスラット３２を配している。すなわち、第二実施態様のブラインドは、反射拡散型のスラット３１及び透過拡散型のスラット３２の配置が、第一実施態様のブラインドとは逆になっている。これにより、スラット３０を起立した閉状態であっても、下側領域の明るいブラインドを提供することが可能になる。
【００５３】
図６は、スラット３０を起立させた状態にある第三実施態様のブラインドを示した斜視図である。図７は、スラット３０を起立させた状態にある第四実施態様のブラインドを示した斜視図である。上述した第一実施態様や第二実施態様のブラインドでは、反射拡散型のスラット３１と透過拡散型のスラット３２とによって、ブラインドが２つの領域に分かれていたが、第三実施態様や第四実施態様のブラインドでは、図６及び図７に示すように、反射拡散型のスラット３１と透過拡散型のスラット３２とによって、ブラインドが３つの領域に分かれている。
【００５４】
すなわち、第三実施態様のブラインドは、図６に示すように、上側の略４分の１の領域と下側の略４分の１の領域に透過拡散型のスラット３２が配され、中央の略２分の１の領域に反射拡散型のスラット３１が配されている。一方、第四実施態様のブラインドは、図７に示すように、上側の略４分の１の領域と下側の略４分の１の領域に反射拡散型のスラット３１が配され、中央の略２分の１の領域に透過拡散型のスラット３２が配されている。このように、ブラインドは、反射拡散型のスラット３１と透過拡散型のスラット３２とによって、３つ以上の領域に分けることも可能である。
【００５５】
図８は、スラット３０を起立させた状態にある第五実施態様のブラインドを示した斜視図である。上述した第一実施態様から第四実施態様までのブラインドではいずれも、１つの反射拡散領域が、複数本の反射拡散型のスラット３１で構成され、１つの透過拡散領域が、複数本の透過拡散型のスラット３２で構成されていたが、第五実施態様のブラインドでは、図８に示すように、１つの反射拡散領域が、１本の反射拡散型のスラット３１で構成され、１つの透過拡散領域が、１本の透過拡散型のスラット３２で構成されている。換言すると、第五実施態様のブラインドでは、反射拡散型のスラット３１と透過拡散型のスラット３２とが１本ずつ交互に配されている。このような配置も可能である。
【００５６】
ただし、第五実施態様のブラインドのように、反射拡散領域を１本の反射拡散型のスラット３１で構成すると、反射拡散型のスラット３１が上下に連続して配置されなくなるため、反射拡散領域において、図４で示したような多重の拡散反射を生じさせにくくなる。このため、１つの反射拡散領域は、図９に示すように、少なくとも２本の反射拡散型のスラット３１で構成することが好ましい。図９は、スラット３０を起立させた状態にある第六実施態様のブラインドを示した斜視図である。第六実施態様のブラインドは、図９に示すように、１つの反射拡散領域が、２本の反射拡散型のスラット３１で構成され、１つの透過拡散領域が、２本の透過拡散型のスラット３２で構成されている。換言すると、第六実施態様のブラインドでは、反射拡散型のスラット３１と透過拡散型のスラット３２とが２本ずつ交互に配されている。
【００５７】
図１０は、スラット３０を起立させた状態にある第七実施態様のブラインドを示した斜視図である。上述した第一実施態様から第六実施態様までのブラインドでは、いずれも、反射拡散型のスラット３１の本数と、透過拡散型のスラット３２の本数とが同一となっていたが、第七実施態様のブラインドでは、図１０に示すように、２本の反射拡散型のスラット３１と１本の透過拡散型のスラット３２とからなる組みを繰り返し配しており、反射拡散型のスラット３１の本数と、透過拡散型のスラット３２の本数とが異なっている。このように、反射拡散型のスラット３１の本数と、透過拡散型のスラット３２の本数とは異ならせることも可能である。
【００５８】
図１１は、スラット３０を起立させた状態にある第八実施態様のブラインドを示した斜視図である。上述した第一実施態様から第七実施態様までのブラインドでは、いずれも、反射拡散型のスラット３１と透過拡散型のスラット３２とが周期的に規則正しく配されていたが、第八実施態様のブラインドでは、図１１に示すように、各領域を構成するスラット３０の本数が、ブラインドの上側から下側になるにつれて徐々に少なくなっており、反射拡散型のスラット３１と透過拡散型のスラット３２とが周期的には配されていない。このように、反射拡散型のスラット３１と透過拡散型のスラット３２は、非周期的に配することも可能である。ただし、反射拡散型のスラット３１と透過拡散型のスラット３２とを完全に不規則に配置した方がよい設置箇所等はなかなか想定できない。このため、反射拡散型のスラット３１と透過拡散型のスラット３２とを非周期的に配する場合でも、各領域を構成するスラット３０の本数が、ブラインドの上側から下側になるにつれて徐々に少なくなるか、逆に、ブラインドの上側から下側になるにつれて徐々に多くなるといった具合に、グラデーション配置することが好ましい。
【符号の説明】
【００５９】
１０    ヘッドボックス
２０    ボトムレール
３０    スラット
３１    反射拡散型のスラット
３１ａ  第一部分
３１ｂ  第二部分
３２    透過拡散型のスラット
４０    昇降コード
５０    ラダーコード
６０    操作手段
６１    チルター
６２    チルトポール
６３    グリップ
６４    イコライザー
Ｗａ  反射拡散型のスラットにおける第一部分の幅
Ｗｂ  反射拡散型のスラットにおける第二部分の幅
θ    スラットの開き角度
φ    スラットの傾き角度
【図１】
2019082053.tif 000003
【図２】
2019082053.tif 000004
【図３】
2019082053.tif 000005
【図４】
2019082053.tif 000006
【図５】
2019082053.tif 000007
【図６】
2019082053.tif 000008
【図７】
2019082053.tif 000009
【図８】
2019082053.tif 000010
【図９】
2019082053.tif 000011
【図１０】
2019082053.tif 000012
【図１１】
2019082053.tif 000013